(57)【要約】      （修正有）【課題】広い設置スペースを取ることが無く、既存の台所器具に取り付けることのできる食器類干し器を提供する。【解決手段】食器類干し器１は、基台部２と、基台部２に立設されていて先端４Ａで食器類を支持する干竿体４と、基台部２の後部に立設された背板部５と、背板部５の後方に配置されていて食器篭などを挟持するためのクリップ板部６と、背板部５とクリップ板部６とを連結する連結板部７と、を備えて成るものである。この食器類干し器１によれば、基台部２と、干竿体４と、背板部５と、クリップ板部６と、連結板部７とを備えるだけなので、コンパクトに構成することができる。また、水回りに置かれる食器篭などの内側に基台部２を配置した状態で取り付けられるので、食器篭などが置かれるスペース以外の場所を占有せずに済ますことができる。【選択図】図２
0003196594.tif 000002
【実用新案登録請求の範囲】
【請求項１】
基台部と、前記基台部に立設されていて先端で食器類を支持する干竿体と、前記基台部の後部に立設された背板部と、前記背板部の後方に離間配置されていて食器篭などを挟持するためのクリップ板部と、前記背板部と前記クリップ板部とを連結する連結板部と、を備えて成ることを特徴とする食器類干し器。
【請求項２】
前記干竿体がヒンジ部を介して前記基台部に傾斜角度可変に支持されている請求項１に記載の食器類干し器。
【請求項３】
吸盤本体と、前記吸盤本体の背方に配備される係止部と、前記吸盤本体の背面と前記係止部を連結する直線板状の連結部とから成る吸盤体を備えており、前記吸盤体の連結部が装入されるとともに前記吸盤体の係止部と係脱可能に係合する直線溝状の第１係合部が、前記基台部の底面に形成されている請求項１または請求項２に記載の食器類干し器。
【請求項４】
吸盤本体と、前記吸盤本体の背方に配備される係止部と、前記吸盤本体の背面と前記係止部を連結する直線板状の連結部とから成る吸盤体を備えており、前記吸盤体の連結部が装入されるとともに前記吸盤体の係止部と係脱可能に係合する直線溝状の第２係合部が、前記クリップ板部に形成されている請求項１または請求項２に記載の食器類干し器。
【請求項５】
前記背板部の上端部に、ボトルのキャップを掛止する掛止部が形成されている請求項から請求項４までのいずれか一項に記載の食器類干し器。
【考案の詳細な説明】
【技術分野】
【０００１】
本考案は、例えば洗った後の食器類を支持して自然乾燥させる食器類干し器に関するものである。
【背景技術】
【０００２】
従来、この種の干し器としては、例えば下記の特許文献１に記載されているものが知られている。この文献１に記載の干し器はステンレス針金製であり、四角枠状に形成された本体枠の四隅部に脚部がそれぞれ垂設されている。本体枠における四隅部および四隅部の間には、ボトルを起立支持するための支持棒部が６本立設されている。一般に、自然乾燥は乾燥までに比較的時間をとることから、設置スペースを長時間占有することになる。しかも、文献１の干し器は設置のために大きな平面積を必要とすることから、設置スペースの狭い台所での使用には不便であった。
【先行技術文献】
【特許文献】
【０００３】
【特許文献１】特開２００６−２１２１７６号公報
【特許文献２】実開平３−９２４６４号公報
【考案の概要】
【考案が解決しようとする課題】
【０００４】
そこで、設置スペースが少なくて済む干し器が特許文献２に記載されている。この文献２に記載の干し器は、棒の上端に吊り下げ用フックを有し、棒の上下中間部にボトル外壁保持用の保持部を有し、棒の下部を上向きに折り返し、その先端部を前記保持部に近接させた構造のものである。この干し器は、設置のための大きな平面積を必要としない反面、吊り下げ用フックを掛ける張架線や輪状金具が必要となり、そのような器具を備えていない台所では使用できない。また、ボトル吊り下げ位置の下方には、ボトルから滴り落ちる水を受けるためのシンクなどがなければならず、その点でも設置場所が制限されるという課題があった。
【０００５】
本考案は、上記した従来の問題点に鑑みてなされたものであって、広い設置スペースを取ることが無く、既存の台所器具に取り付けることのできる食器類干し器の提供を目的とする。
【課題を解決するための手段】
【０００６】
上記目的を達成するために、本考案に係る食器類干し器は、基台部と、前記基台部に立設されていて先端で食器類を支持する干竿体と、前記基台部の後部に立設された背板部と、前記背板部の後方に配置されていて食器篭などを挟持するためのクリップ板部と、前記背板部と前記クリップ板部とを連結する連結板部と、を備えて成ることを特徴とする構成にしてある。
【０００７】
また、前記構成において、干竿体がヒンジ部を介して前記基台部に傾斜角度可変に支持されているものである。
【０００８】
そして、前記した各構成において、吸盤本体と、前記吸盤本体の背方に配備される係止部と、前記吸盤本体の背面と前記係止部を連結する直線板状の連結部とから成る吸盤体を備えており、前記吸盤体の連結部が装入されるとともに前記吸盤体の係止部と係脱可能に係合する直線溝状の第１係合部が、前記基台部の底面に形成されているものである。
【０００９】
更に、前記した各構成において、吸盤本体と、前記吸盤本体の背方に配備される係止部と、前記吸盤本体の背面と前記係止部を連結する直線板状の連結部とから成る吸盤体を備えており、前記吸盤体の連結部が装入されるとともに前記吸盤体の係止部と係脱可能に係合する直線溝状の第２係合部が、前記クリップ板部に形成されているものである。
【００１０】
また、前記した各構成において、背板部の上端部に、ボトルのキャップを掛止する掛止部が形成されているものである。
【考案の効果】
【００１１】
本考案に係る食器類干し器によれば、基台部と、干竿体と、背板部と、クリップ板部と、連結板部と、を備えて成るだけなので、コンパクトに構成することができる。また、水回りに置かれる食器篭などの内側に基台部を配置した状態で取り付けられるので、食器篭などが置かれるスペース以外の場所を占有せずに済ますことができる。
【００１２】
また、干竿体がヒンジ部を介して基台部に傾斜角度可変に支持されているものでは、傾斜させた干竿体に食器類を掛けると、食器類も傾いた姿勢となり、且つ、背板部やクリップ板部から離れた状態で干されるので、乾燥を効率よく行なえて迅速に乾かすことができる。一方、干竿体が垂直姿勢のみに固定されているものであれば、大型のボトルを干竿体に差し込もうとすると、隣の干竿体やその干竿体に差し込まれているボトルなどと接触干渉するので、大型のボトルを差し込むことができない。しかしながら、干竿体を傾斜させることができるので、大型のボトルなどであっても、隣の干竿体などと接触干渉させることなく余裕をもって干すことができる。
【００１３】
そして、基台部の底面に、吸盤体の係止部と係脱可能に係合する第１係合部が形成されているものでは、基台部底面の第１係合部に吸盤体の係止部を係合させることにより、台所のシンクその他の滑らかな平面部分に、基台部底面の吸盤体を吸着させて固定するので、台所のちょっとした狭い平面部分でも滑面であれば、食器類干し器を設置することができる。また、前記係合の際に吸盤体の直線板状の連結部が直線溝状の第１係合部に装入されるので、吸盤体は基台部に対して回転しない。従って、この食器類干し器よりも相対的に大型で重い例えばボトル類を、開いた状態の干竿体に差し込んだ場合でも、その重みにより食器類干し器が水平方向に回転し、ボトル類を所望位置から不本意な位置に移動させるといった不具合を防ぐことができる。
【００１４】
更に、クリップ板部に、吸盤体の係止部と係脱可能に係合する第２係合部が形成されているものでは、クリップ板部の第２係合部に吸盤体の係止部を係合させることにより、台所のシンクその他の滑らかな竪壁部分に、クリップ板部背面の吸盤体を吸着させて固定するので、台所のちょっとした竪壁部分でも滑面であれば、食器類干し器を設置することができる。また、前記した係合の際に吸盤体の直線板状の連結部は直線溝状の第２係合部に装入されるので、吸盤体はクリップ板部に対して回転しない。従って、この食器類干し器よりも相対的に大型で重い例えばボトル類を、開いた状態の干竿体に差し込んだ場合でも、その重みにより食器類干し器が回転して垂直方向に傾き、ボトル類を干竿体から転落させるといった不具合を防ぐことができる。
【００１５】
また、背板部の上端部に、ボトルのキャップを掛止する掛止部が形成されているものでは、ボトルを乾燥させているときに、そのボトルと対を成すキャップも同時に乾かすことができる。すなわち、前記のようにコンパクトな食器類干し器でありながら、キャップをも干せるのである。
【図面の簡単な説明】
【００１６】
【図１】本考案の一実施形態に係る食器類干し器の正面図である。
【図２】前記食器類干し器の側面図である。
【図３】前記食器類干し器の底面図である。
【図４】前記食器類干し器の基台部の構成部品を示す図であって、（ａ）は基台本体の底面図、（ｂ）は底板体の平面図である。
【図５】前記食器類干し器の基台部の内部を示す一部断面を含む部分側面図である。
【図６】前記食器類干し器の吸盤体を示す図であって、（ａ）は吸盤体の側面図、（ｂ）は吸盤体および鏡面シートの斜視図である。
【図７】前記食器類干し器の使用態様図であって、（ａ）は食器類干し器が乾燥用篭に装着される前の状態を示す部分外観図、（ｂ）は乾燥用篭に装着された食器類干し器の干竿体がボトルを支持している状態を示す部分外観図である。
【図８】前記食器類干し器の使用態様図であって、（ａ）は食器類干し器のクリップ板部に吸盤体が装着される前の状態を示す部分外観図、（ｂ）は吸盤体を装着された食器類干し器がシンクの内壁面に取り付けられて干竿体がボトルを支持している状態を示す部分外観図である。
【図９】前記食器類干し器の使用態様図であって、（ａ）は食器類干し器の底板部に吸盤体が装着される前の状態を示す部分外観図、（ｂ）は吸盤体を装着された食器類干し器がシンクの上面に取り付けられて干竿体がボトルを支持している状態を示す部分外観図である。
【図１０】前記食器類干し器の干竿体がボトルと紙パックを支持している状態を示す外観図である。
【図１１】前記食器類干し器の干竿体がポリ袋を支持している状態を示す外観図である。
【図１２】前記食器類干し器の干竿体が布巾を支持している状態を示す外観図である。
【図１３】前記食器類干し器の掛止部がボトルのキャップを支持している状態を示す外観図である。
【考案を実施するための形態】
【００１７】
本考案の実施形態を図面に基づいて説明する。尚、以下に述べる実施形態は本考案を具体化した一例に過ぎず、本考案の技術的範囲を限定するものでない。図１は本考案の一実施形態に係る食器類干し器の正面図、図２は前記食器類干し器の側面図、図３は前記食器類干し器の底面図である。
各図において、この実施形態に係る食器類干し器１は、基台部２と、基台部２の左右前部に立設されていて先端４ＡでボトルＰ（図７など参照）などの食器類を支持する２本の干竿体４，４と、基台部２の後部に立設された背板部５と、背板部５の後方に離間配置されていて乾燥用篭（図７参照；食器類の例）Ａなどを挟持するためのクリップ板部６と、背板部５とクリップ板部６とを連結する連結板部７と、付属の吸盤体２５と、から構成されている。背板部５の上端部の左右には、ボトルＰ（図７他参照）のキャップＭ（図１３参照）を掛止するための２つの掛止部８，８が、上向きに突出して形成されている。これらの掛止部８を含む背板部５と、クリップ板部６と、連結板部７は、全体として側面視で略Ｈの字状に形成されており、掛止部８の上端とクリップ板部６の上端部６Ａの高さは略同じにされている。クリップ板部６の下端部６Ｂは乾燥用篭Ａなどへの装着を容易にするために後向きに曲げられている
【００１８】
前記の基台部２は、下面が開口した四分球中空状の基台本体９と、基台本体９の下面開口９Ｂを蓋止する底板体１０と、から構成されている。基台部２の基台本体９、背板部５、掛止部８、連結板部７、およびクリップ板部６は、例えば合成樹脂を材料として金型成型により一体に成形されている。基台本体９の背面９Ａの下部には、水平配置の突出板部１１が後向きに突出して形成されている。この突出板部１１は、クリップ板部６またはクリップ板部６に装着された吸盤体２５が乾燥用篭ＡやシンクＢの竪壁に取り付けられたときにその竪壁に当接して基台部２全体の姿勢を略垂直に保持するためのものである。因みに、基台本体９は、左右寸法が例えば５５ｍｍと、比較的コンパクトに形成されている。
【００１９】
前記の基台本体９の左右には、２つの支持孔３，３が形成されている。これらの支持孔３，３は、基台本体９の天井面９Ｃから垂下して形成された竪筒部１６，１６の筒内部を形成しており上下に連通している。また、前記の支持孔３，３は、竪筒部１６，１６の下部では円孔であるが、基台本体９の上面では前方から見た平面視でハの字状に開口するように拡開して形成されている。一方、各竪筒部１６の下端面には、図４（ａ）に示すように、孔心Ｃを中心とする点対称位置に、上向きに半円形状に陥没した軸受溝１７，１７が形成されている。各竪筒部１６において２つの軸受溝１７，１７を結ぶ線は、孔心Ｃを通過する前後方向の線に対し水平方向に角度θ３だけ傾いて設定されている。その場合、各竪筒部１６の軸受溝１７，１７を結ぶ線は、基台本体９の上面で各支持孔３が左右前方に広がる方向と直交する方向を向いている。
【００２０】
前記の底板体１０は、図３および図４（ｂ）に示すように、平面視で半円形の板状に形成されている。底板体１０の左右中央の前部には、上下貫通した四角形状の装着窓１２が形成されている。底板体１０における装着窓１２の後方位置には、この装着窓１２と連通する直線溝状の係止用溝１５（第１係合部の例）が形成されている。装着窓１２の上方には、装着窓１２から装入された吸盤体２５の係止部２７が入り込み過ぎないようにするためのカバー部１３が配置され、カバー部１３の３辺は装着窓１２周囲の底板体１０の上面１０Ｂに立設されている。カバー部１３の後辺と係止用溝１５との間は、装着窓１２から装入された吸盤体２５の連結部２８を係止用溝１５に案内するための挿入口１４となっている。
【００２１】
底板体１０の上面１０Ｂの左右には、対を成す竪板状の受台部１８，１８が２組設けられている。各組の受台部１８，１８のそれぞれの上端面には、下向きに半円形状に陥没した軸受溝１９，１９が形成されている。これらの軸受溝１９，１９は、底板体１０が基台本体９の下面開口９Ｂを蓋止したときに、基台本体９における竪筒部１６の軸受溝１７，１７と合わせられて軸穴を形成する。また、底板体１０の外周縁部には、複数の係止突起２０，２０，２０，２０が外向きに突出して形成されている。これらの係止突起２０，２０，２０，２０は、
底板体１０が基台本体９の下面開口９Ｂを蓋止したときに、基台本体９の外周縁部に形成されている係止用穴（図示省略）と係合して底板体１０を係止固定するものである。
【００２２】
干竿体４における下端部４Ｂの両側の外側面には、図５に示すように、軸２１，２１が外向きに突設されている。これらの軸２１，２１は、竪筒部１６の軸受溝１７と受台部１８の軸受溝１９が合わせられて形成された軸穴内に回転自在に配置される。すなわち、軸受溝１７、軸受溝１９および軸２１から、基台部２に対し干竿体４の下端部４Ｂを回転自由に軸支するヒンジ部２２が構成される。このように、各干竿体４がヒンジ部２２を介して基台部２に支持されることにより、各干竿体４は、正面から見て傾斜角度θ１（図１参照）の範囲内で、側面から見て傾斜角度θ２（図２参照）の範囲内で角度可変に支持される。２つの干竿体４，４が拡げられた態様は、あたかもテレビ用小型室内アンテナのような美観を呈している。
【００２３】
竪筒部１６の下端部近傍の内周壁には、内向きに突出した２つの止め用突条２３，２３が対向して形成されている。一方、軸２１の上方位置における干竿体４の外周面には、竪筒部１６内の止め用突条２３，２３と係脱自在に係合する止め用突条２４，２４が外向きに突出して形成されている。これらの止め用突条２３と止め用突条２４は、干竿体４を略垂直の姿勢に保持する機能を有する一方、干竿体４を傾けるときにかけられる軽力によって離脱するようになっている。
【００２４】
吸盤体２５は、図６に示すように、凹曲面状の吸盤本体２６と、吸盤本体２６の上方に配備される平面視で矩形状の係止部２７と、吸盤本体２６上面の凸面部と係止部２７を連結する直線板状の連結部２８と、から軟質樹脂などで一体に構成されている。吸盤体２５の連結部２８は、基台部２における底板部１０の係止用溝１５に装入される。そして、係止部２７は係止用溝１５と係脱可能に係合する。また、クリップ板部６の上下略中央位置には、後（図８参照）で詳述する、前後貫通した装着窓３０と、装着窓３０の上方位置で装着窓３０とつながる直線溝状の係止用溝３１（第２係合部の例）が形成されている。装着窓３０は既述の装着窓１２と同様の機能を持ち、係止用溝３１は既述の係止用溝１５と同様の機能を有している。すなわち、係止用溝３１は吸盤体２５の連結部２８が装入されるとともに係止部２７と係脱可能に係合するようになっている。そこで、食器類干し器１に装着された吸盤体２５は、後述するように、台所シンクの内周壁や上面に吸着して取り付けられる。但し、取り付け所望場所が粗面であって吸着が困難な場合は、裏面に粘着シートが貼り付けられている鏡面シート２９を当該所望場所に予め貼り付けておき、その鏡面に吸盤体２５の吸盤本体２６を吸着させてもよい。
【００２５】
上記のように構成された食器類干し器１の作用を次に説明する。
この食器類干し器１を乾燥用篭（台所器具）に取り付けて使用する場合は、図７（ａ）に示すように、乾燥用篭Ａの上方位置に食器類干し器１をかざし、乾燥用篭Ａの最上段の横桟Ａ１に向けて食器類干し器１を下降させる（矢印Ｓ方向）。このとき、クリップ板部６の下端部６Ｂは後向きに広がっているので、横桟Ａ１を容易にクリップ板部６内に導くことができる。そうして、連結板部７が最上段の横桟Ａ１に載って食器類干し器１が保持され、上から２段目の横桟Ａ１もクリップ板部６内に入る。そして、干竿体４が閉じている場合は干竿体４の上端部４Ａを開いて干竿体４の傾斜角度をつける。続いて、乾燥させようとするＰＥＴボトルなどのボトルＰを干竿体４に挿し込んで支持させるのである。
【００２６】
このように、食器類干し器１は、基台部２と、干竿体４，４と、背板部５と、クリップ板部６と、連結板部７と、吸盤体２５を備えているだけなので、コンパクトに構成することができる。また、水回りに置かれる食器篭Ａなどの内側に基台部２を配置した状態で取り付けられるので、食器篭Ａなどが置かれるスペース以外の場所を占有せずに済み、干し器を置く場所に困るほど狭い台所であっても有用に使用することができる。
また、干竿体４がヒンジ部２２を介して基台部２に傾斜角度可変に支持されているので、傾斜させた干竿体４にボトルＰを支持させるとボトルＰも傾いた姿勢となり、且つ、背板部５からも離れた状態となるので、ボトルＰを効率よく迅速に乾かすことができる。一方、干竿体４が垂直姿勢に固定されているものであれば、容量２リットルといった大型のボトルＰを干竿体４に差し込もうとすると、隣の干竿体４やその干竿体４に差し込まれている別のボトルＰなどと接触干渉するので、大型のボトルＰを差し込むことができない。しかしながら、干竿体４を傾斜させることができるので、大型のボトルＰなどであっても、隣の干竿体４などと接触干渉させることなく余裕をもって乾燥させることができる。
尚、この例では乾燥用篭Ａの内側に食器類干し器１の基台部２を配置させる場合を示したが、例えば乾燥用篭Ａの外側に設置スペースを取れる場合は、食器類干し器１の基台部２を乾燥用篭Ａの外側に配置しても構わない。
【００２７】
次に、食器類干し器１をシンク（台所器具）の内壁面に取り付けて使用する場合を図８に示す。この例では前記の吸盤体２５が使用される。まず、図８（ａ）に示すように、食器類干し器１の後方位置に吸盤体２５が配される。そして、吸盤体２５の係止部２７がクリップ板部６の装着窓３０内に装入される。続いて、吸盤体２５が矢印Ｕのように持ち上げられることにより、吸盤体２５の連結部２８が係止用溝３１内に案内され、係止部２７が係止用溝３１の両側におけるクリップ板部６の前面で係止されて抜け止め固定される。そして、図８（ｂ）に示すように、吸盤体２５の吸盤本体２６をシンクＢの内壁面Ｂ１に吸着させることにより、食器類干し器１をシンクＢ内に取り付け得るのである。
このように、食器類干し器１は、台所のシンクＢその他の滑らかな竪壁部分に、クリップ板部６の背面の吸盤体２５を吸着させて固定するので、ちょっとした竪壁部分でも滑面であれば設置することができる。すなわち、干し器を置く場所に困るほど狭い台所であっても、洗いを終えたボトルＰなどをシンクＢ内で乾燥させることができる。また、吸盤体２５の直線板状の連結部２８が直線溝状の係止用溝３１に装入されるので、吸盤体２５はクリップ板部６に対して回転しない。従って、この食器類干し器１よりも相対的に大型で重い例えば容量２リットルのボトルＰを、開いた状態の干竿体４に差し込んだ場合でも、ボトルＰの重みにより食器類干し器１が回転して垂直方向に傾き、ボトルＰを干竿体４から脱落させるといったことを防ぐことができる。
尚、上記では、シンクＢの内壁面Ｂ１に食器類干し器１を取り付けた例を示したが、滑らかな竪壁面を有するタイル製の台所竪壁などに、吸盤体２５の吸盤本体２６を吸着させて、食器類干し器１を取り付けることも可能である。
【００２８】
他方で、吸盤体２５の使用態様は上記に限らない。例えば、図９に示すように、シンクＡの滑らかな平面部分である上面Ｂ２を利用することも可能である。この場合、図９（ａ）に示すように、吸盤体２５の係止部２７が底板体１０の下面１０Ａにあてがわれ、装着窓１２内に装入される。その後、吸盤体２５が後方（矢印Ｔ方向）に動かされることにより、連結部２８が挿入口１４を経て係止用溝１５内に進入し、係止部２７が係止用溝１５の両側の上面１０Ｂ，１０Ｂで係止されて抜け止め固定される。そして、図９（ｂ）に示すように、吸盤体２５の吸盤本体２６をシンクＢの上面Ｂ２に吸着させることにより、食器類干し器１がシンクＢの上面Ｂ２に取り付けられるのである。
このように、食器類干し器１は、台所のシンクＢその他の滑らかな平面部分に、基台部２の底面の吸盤体２５を吸着させて固定するので、台所のちょっとした狭い平面部分でも滑面であれば設置することが可能である。すなわち、洗いを終えたボトルＰなどをシンクＢの上面で乾燥させることができる。また、吸盤体２５の直線板状の連結部２８が直線溝状の係止用溝１５に装入されるので、吸盤体２５は基台部２に対して回転しない。従って、この食器類干し器１よりも相対的に大型で重い例えば容量２リットルのボトルＰを、開いた状態の干竿体４に差し込んだ場合でも、ボトルＰの重みにより食器類干し器１が水平方向に回転してボトルＰを所望位置から不本意な位置に移動させるといったことはない。
【００２９】
尚、上記では、食器類干し器１の前方外向きに広げた干竿体４にボトルＰを差し込んで乾燥させる例を示したが、本発明の食器類干し器が適用される食器類としては、ボトルＰ以外に、図１０に示すような紙パックＱも適用可能である。
あるいは、図１１に示すようなジッパー付きのポリ袋Ｒも食器類の一種として乾燥に供することができる。
更には、図１２に示すような布巾Ｎも食器類の一種として乾燥させることができる。
【００３０】
一方で、ボトルＰを乾燥させる際に、ボトルＰのキャップの乾燥にも使用可能である。すなわち、図１３に示すように、背板部５の各掛止部８にボトルＰのキャップＭが上方位置から矢印Ｓ方向に掛けられ、キャップＭの外周部Ｍ１が掛止部８の背面とクリップ板部６の上端部６Ａの前面との間に保持されて掛止される。
これにより、キャップＭはその下面開口が開放された姿勢に保持されて効率よく乾燥される。すなわち、この食器類干し器１はコンパクトな構成でありながら、ボトルＰを乾燥させる際に、そのボトルＰと対を成すキャップＭも同時に乾燥させることができるのである。
【符号の説明】
【００３１】
１    食器類干し器
２    基台部
３    支持孔
４    干竿体
４Ａ  上端部
４Ｂ  下端部
５    背板部
６    クリップ板部
６Ａ  上端部
７    連結板部
８    掛止部
９    基台本体
９Ａ  背面
１０  底板体
１５  係止用溝（第１係合部）
１７  軸受溝
１９  軸受溝
２１  軸
２２  ヒンジ部
２５  吸盤体
２６  吸盤本体
２７  係止部
２８  連結部
３１  係止用溝（第２係合部）
Ａ    乾燥用篭
Ａ１  横桟
Ｂ    シンク
Ｍ    キャップ
Ｎ    布巾（食器類）
Ｐ    ボトル（食器類）
Ｑ    紙パック（食器類）
Ｒ    ポリ袋（食器類）
θ１，θ２  傾斜角度
θ３  角度
【図１】
0003196594.tif 000003
【図２】
0003196594.tif 000004
【図３】
0003196594.tif 000005
【図４】
0003196594.tif 000006
【図５】
0003196594.tif 000007
【図６】
0003196594.tif 000008
【図７】
0003196594.tif 000009
【図８】
0003196594.tif 000010
【図９】
0003196594.tif 000011
【図１０】
0003196594.tif 000012
【図１１】
0003196594.tif 000013
【図１２】
0003196594.tif 000014
【図１３】
0003196594.tif 000015
【手続補正書】
【提出日】平成27年1月19日(2015.1.19)
【手続補正１】
【補正対象書類名】実用新案登録請求の範囲
【補正対象項目名】請求項５
【補正方法】変更
【補正の内容】
【請求項５】
前記背板部の上端部に、ボトルのキャップを掛止する掛止部が形成されている請求項１から請求項４までのいずれか一項に記載の食器類干し器。